(57)【要約】【課題】  既設配管内等に複数本の光ファイバを容易に同時布設するとともに、各布設先まで接続なしに配線することができる光ファイバケーブルを提供する。【解決手段】本発明に係る光ファイバケーブル１０Ａは、光ファイバ心線２１と抗張力体２２，２２ａとがケーブル断面内で略一直線状に並ぶよう熱可塑性樹脂の外被２３で一括被覆されている。外被２３には、光ファイバケーブル１０Ａを光ファイバ心線２１と抗張力体２２，２２ａとが含まれる略同形の複数のエレメント２０Ａに分割するための分割用ノッチ１１が形成されている。【選択図】  図１
2006209023.tif 000002
【特許請求の範囲】
【請求項１】
光ファイバ心線と抗張力体とがケーブル断面内で略一直線状に並ぶよう外被となる樹脂で一括被覆された光ファイバケーブルであって、
前記樹脂には、当該光ファイバケーブルを前記光ファイバ心線が含まれる略同形の複数のエレメントに分割するための分割用ノッチが形成されていることを特徴とする光ファイバケーブル。
【請求項２】
請求項１に記載の光ファイバケーブルであって、
前記分割用ノッチの深さが、前記エレメント内の前記樹脂に形成された前記光ファイバ心線を取り出すための心線取り出し用ノッチの深さよりも深いことを特徴とする光ファイバケーブル。
【請求項３】
請求項１または２に記載の光ファイバケーブルであって、
各前記エレメントの断面外形が略矩形であり、その四隅の角部が略同形となるように前記分割用ノッチが形成されていることを特徴とする光ファイバケーブル。
【請求項４】
請求項１から３の何れか一項に記載の光ファイバケーブルであって、
各前記エレメントの断面外形が略矩形であり、その角部が断面視凸曲線状の部分を有するように前記分割用ノッチが形成されていることを特徴とする光ファイバケーブル。
【請求項５】
請求項１から４の何れか一項に記載の光ファイバケーブルであって、
前記分割用ノッチが、前記エレメントの可撓変形を許容する空間を形成していることを特徴とする光ファイバケーブル。
【請求項６】
請求項１から５の何れか一項に記載の光ファイバケーブルであって、
複数の前記エレメントのうち少なくとも最も端に位置する前記エレメント内で、少なくとも１本の前記抗張力体と前記樹脂との間に接着剤層が介在していることを特徴とする光ファイバケーブル。
【請求項７】
請求項１から６の何れか一項に記載の光ファイバケーブルであって、
前記エレメント内で複数本の前記光ファイバ心線がテープ状に一体化しており、そのテープ状光ファイバ心線の断面長手方向上に前記抗張力体が配置されていることを特徴とする光ファイバケーブル。
【請求項８】
請求項１から７の何れか一項に記載の光ファイバケーブルであって、
前記抗張力体の断面が略矩形または楕円形であり、その断面長手方向上に前記光ファイバ心線が配置されていることを特徴とする光ファイバケーブル。
【請求項９】
請求項１から８の何れか一項に記載の光ファイバケーブルであって、
複数の前記エレメントのうち最も端に位置する前記エレメント内で、前記抗張力体が前記光ファイバ心線より外側に配置されていることを特徴とする光ファイバケーブル。
【請求項１０】
請求項１から９の何れか一項に記載の光ファイバケーブルであって、
前記抗張力体が、前記分割用ノッチの内側である前記エレメント同士の境界部分に配置されていることを特徴とする光ファイバケーブル。
【請求項１１】
光ファイバ心線が含まれる略同形の複数のエレメントに分割可能な光ファイバケーブルを、複数階層を有する建物に分割しない状態で縦系配線し、その後、
各前記エレメントに分割して横系配線を行うか、もしくは分割しない状態で横系配線を行って前記建物の戸内配線を行うことを特徴とする光ファイバケーブルの配線方法。
【請求項１２】
請求項１１に記載の光ファイバケーブルの配線方法であって、
前記光ファイバケーブルを各前記エレメントに分割した後、少なくとも１本の前記エレメントに光コネクタを取り付けることを特徴とする光ファイバケーブルの配線方法。
【発明の詳細な説明】
【技術分野】
【０００１】
本発明は、光ファイバ心線と抗張力体とを外被となる樹脂で一括被覆した光ファイバケーブルに関する。
【背景技術】
【０００２】
近年、インターネットの急速な普及により高速データ通信の要求が高まっており、各家庭まで光ファイバを布設するＦＴＴＨ（Fiber To The Home）のサービスが拡大している。これにより、宅内やビル、集合住宅内の配線に使用される、所謂インドア型の光ファイバケーブル（例えば、特許文献１参照）の利用が高まっている。
【０００３】
図８に示すように、特許文献１に記載の光ファイバケーブル１００では、中心に光ファイバ心線１０１を配し、光ファイバ心線１０１のケーブル幅方向（図中左右方向）両側に抗張力体１０２を配置して、これらを一括して全体矩形状に被覆１０３が施されている。被覆１０３のケーブル厚さ方向（図中上下方向）両外側面で光ファイバ心線１０１に対応する位置にはＶ字状のノッチ１０５が内側に向かって設けられており、このノッチ１０５から被覆１０３を切り裂くことができるようになっている。また、抗張力体１０２と被覆１０３との間には接着剤層１０４が介在しており、これによって、抗張力体１０２と被覆１０３との接着性を高めて一体化している。
【０００４】
上記のような光ファイバケーブル１００は、被覆１０３に設けられているノッチ１０５から被覆１０３を切り裂くことにより、光ファイバ心線１０１を容易に取り出すことができるようになっている。さらに、抗張力体１０２と被覆１０３とが接着剤層１０４等を介して一体化しているため、光接続箱などにおけるケーブル引留めを鬼目のような凹凸のついた治具で被覆１０３だけを把持すれば光ファイバケーブル１００を固定することができるなど、優れた特性を有している。
【０００５】
【特許文献１】特開２０００−１７１６７３号公報（図１）
【発明の開示】
【発明が解決しようとする課題】
【０００６】
ところで、集合住宅などの既設配管における光ファイバケーブルの布設では、地下や１階に置かれることの多い配線盤（ＭＤＦ：Main Distribution Frame）から各戸まで光ファイバケーブルを接続なしで配線するスター配線方式が広く採用されている。このため、ＭＤＦから各階を繋ぐ縦系配線では複数本の光ファイバケーブルを本数毎に布設する必要がある。または、同時に複数本布設する場合でも図９に示すように複数本分のボビン１０６から光ファイバケーブル１００を繰り出さなくてはならないため、作業が煩雑であり、ケーブル本数が多いと縦系配線を行う管路内で光ファイバケーブルが絡み合って布設張力が増大する場合があり、光ファイバケーブルの布設が困難となることがあった。
【０００７】
本発明の目的は、既設配管内等に複数本の光ファイバを容易に同時布設するとともに、各布設先まで接続なしに配線することができる光ファイバケーブル及び光ファイバケーブルの配線方法を提供することにある。
【課題を解決するための手段】
【０００８】
上記課題を解決することのできる本発明に係る光ファイバケーブルは、光ファイバ心線と抗張力体とがケーブル断面内で略一直線状に並ぶよう外被となる樹脂で一括被覆された光ファイバケーブルであって、前記樹脂には、当該光ファイバケーブルを前記光ファイバ心線が含まれる略同形の複数のエレメントに分割するための分割用ノッチが形成されていることを特徴としている。
【０００９】
このように構成された光ファイバケーブルは、光ファイバ心線を含むエレメントが複数並列した構成となっているため、一度に複数のエレメントについて配線することができる。また、各エレメントは分割用ノッチにより容易に分割できるので、布設途中で所望のエレメントを分割して各戸に配線することができる。さらに、光ファイバ心線と抗張力体とがケーブル断面内で略一直線状に並んでいることにより、ケーブルの形状がテープ状となってその断面短手方向となる厚さ方向に曲がりやすくなるため、ケーブルとしての柔軟性に富んで取り扱い性が良く、布設作業性が良好である。また、各エレメントに備えた抗張力体がケーブルに加わる張力を分担するため、一般のインドア型の光ファイバケーブルより許容張力を大きくできる。さらに、ケーブルを一回牽引する際の布設長さを長くすることができたり、従来通線できなかったルートへも布設することが可能になったりする。
【００１０】
また、本発明に係る光ファイバケーブルにおいて、前記分割用ノッチの深さが、前記エレメント内の前記樹脂に形成された前記光ファイバ心線を取り出すための心線取り出し用ノッチの深さよりも深いことが好ましい。
【００１１】
このように構成された光ファイバケーブルは、各エレメント内において光ファイバ心線を取り出すために設けられている心線取り出し用ノッチよりも深さが深い分割用ノッチが各エレメント間に形成されているため、各エレメントを容易に分割することができる。また、複数のエレメントを一列に配列した形状を有しているため、ケーブル断面は幅広く、ケーブル布設時などにケーブルが捻れると非常に大きな捻れ応力が発生する。このため、仮にケーブルに局所的な大きな捻れ応力が発生したとしても、各エレメントの心線取り出し用ノッチから樹脂に亀裂が発生する前にエレメント間が分離するので、配線時に光ファイバ心線がケーブルから飛び出して光ファイバが損傷する不具合が発生しにくい。
【００１２】
また、本発明に係る光ファイバケーブルは、各前記エレメントの断面外形が略矩形であり、その四隅の角部が略同形となるように前記分割用ノッチが形成されていることが好ましい。
【００１３】
このように構成された光ファイバケーブルは、各エレメントに分割しても外観を損なわず、従来のインドア型のケーブルと同様に見えるため、宅内の人目にさらされる箇所に配線された場合でも特に違和感を感じさせない。
【００１４】
また、本発明に係る光ファイバケーブルは、各前記エレメントの断面外形が略矩形であり、その角部が断面視凸曲線状の部分を有するように前記分割用ノッチが形成されていることが好ましい。
【００１５】
このように構成された光ファイバケーブルは、エレメントの外被が他の部材と擦れた時に損傷しにくい。そして、損傷による外被の削りかすが発生しにくく、配線した戸内等の環境を汚さずに済む。
【００１６】
また、本発明に係る光ファイバケーブルは、前記分割用ノッチが、前記エレメントの可撓変形を許容する空間を形成していることが好ましい。
【００１７】
このように構成された光ファイバケーブルは、光ファイバケーブルに応力が加わり、光ファイバ心線と抗張力体とが断面内で一直線状に並ばないようにケーブルが曲げられても、曲げ内側の分割用ノッチは前記空間へ向けて狭まり曲げ外側の分割用ノッチは開くため、ケーブル布設中に分割用ノッチに無理な応力が集中して外被が裂けて、各エレメントに分離してしまうような不具合が発生しにくい。
【００１８】
また、本発明に係る光ファイバケーブルは、複数の前記エレメントのうち少なくとも最も端に位置する前記エレメント内で、少なくとも１本の前記抗張力体と前記樹脂との間に接着剤層が介在していることが好ましい。
【００１９】
このように構成された光ファイバケーブルは、光ファイバケーブルの両外側端に位置するエレメントの抗張力体に接着剤層を設けて外被との一体化を強化することで、外被の収縮や蛇行を抗張力体が抑えることによって、光ファイバ心線の損失増加や断線を防ぐことができる。特に、エレメント分割後よりも厳しくなりやすいエレメント分割前の布設環境(低温環境)においても優れた伝送特性を維持することができる。
【００２０】
また、本発明に係る光ファイバケーブルは、前記エレメント内で複数本の前記光ファイバ心線がテープ状に一体化しており、そのテープ状光ファイバ心線の断面長手方向上に前記抗張力体が配置されていることが好ましい。
【００２１】
このように構成された光ファイバケーブルは、エレメントに収容されているテープ状光ファイバ心線の断面長手方向上に抗張力体が配置されているので、エレメントに分割した後、各エレメントが曲げられたときに光ファイバ心線に大きな張り歪みや圧縮歪みが加わるのを防止することができる。
【００２２】
また、本発明に係る光ファイバケーブルは、前記抗張力体の断面が略矩形または楕円形であり、その断面長手方向上に前記光ファイバ心線が配置されていることが好ましい。
【００２３】
このように構成された光ファイバケーブルは、抗張力体が略矩形または楕円形であるため、光ファイバケーブルは抗張力体の断面長手方向が曲げの中心軸方向となるように曲がりやすく、抗張力体の断面短手方向が曲げの中心軸となるようには曲がりにくい。このため、エレメント分割後、各エレメントが曲げられたときに、抗張力体の断面長手方向上に配置されている光ファイバ心線に大きな引張り歪みや圧縮歪みが加わるのを防止することができる。
【００２４】
また、本発明に係る光ファイバケーブルは、複数の前記エレメントのうち最も端に位置する前記エレメント内で、前記抗張力体が前記光ファイバ心線より外側に配置されていることが好ましい。
【００２５】
このように構成された光ファイバケーブルは、エレメントに加わった側圧を抗張力体で受けたり、外被が損傷したときにその損傷が光ファイバ心線に達する前に抗張力体によって保護することができる。
【００２６】
また、本発明に係る光ファイバケーブルは、複数の前記エレメントのうち最も端に位置する前記エレメント内で、前記光ファイバ心線が前記抗張力体より外側に配置されており、前記光ファイバ心線に含まれる被覆層の厚さが１２５μｍより大きいか、もしくは前記光ファイバ心線の外側の前記樹脂の厚さが０．５ｍｍ以上であることが好ましい。
【００２７】
このように構成された光ファイバケーブルは、光ファイバ心線に対する保護を光ファイバ心線の被覆層やケーブル外被によって充分に行えるため、光ファイバ心線を抗張力体より外側に配置しても光ファイバ心線の損傷を防ぐことができる。
【００２８】
また、本発明に係る光ファイバケーブルは、前記抗張力体が、前記分割用ノッチの内側である前記エレメント同士の境界部分に配置されていることが好ましい。
【００２９】
このように構成された光ファイバケーブルは、各エレメントに分割した後は分割用ノッチの内側に配置された抗張力体が除去された状態となって許容張力は低下するが、可撓性は向上する。そのため、エレメントを布設する際の条件によっては可撓性を優先した方が良い場合には、この光ファイバケーブルを用いることで配線作業性を向上させることができる。
【００３０】
また、上記課題を解決することのできる本発明に係る光ファイバケーブルの配線方法は、光ファイバ心線が含まれる略同形の複数のエレメントに分割可能な光ファイバケーブルを、複数階層を有する建物に分割しない状態で縦系配線し、その後、各前記エレメントに分割して横系配線を行うか、もしくは分割しない状態で横系配線を行って前記建物の戸内配線を行うことを特徴としている。
【００３１】
このような構成の光ファイバケーブルの配線方法は、複数の光ファイバ心線を布設する縦系配線では、複数の光ファイバ心線を互いに絡ませることなく一度に配線することができ、横系配線では戸内配線等の要求に応じてエレメントに分割して配線を行うことができる。したがって、建物内の各布設先に複数本の光ファイバを容易に同時布設するとともに、各布設先まで接続なしに配線することができる。
【００３２】
また、本発明に係る光ファイバケーブルの配線方法は、前記光ファイバケーブルを各前記エレメントに分割した後、少なくとも１本の前記エレメントに光コネクタを取り付けることが好ましい。
【００３３】
このような構成の光ファイバケーブルの配線方法は、エレメントに光コネクタを直接取り付けることにより、各端末への接続に際して、別途他の接続部分を設ける必要がなく、作業性が良好である。また、接続部品を少なくできるため、配線費用を低く抑えることができる。
【発明の効果】
【００３４】
本発明の光ファイバケーブルによれば、布設する管路内で光ファイバケーブルが絡み合うような問題なく、一度の布設作業で従来の光ファイバケーブルを複数本布設するのと同等の布設効果が得られる。例えば、布設する際の繰り出し用ボビンの数量を減らすことができ、布設コストを大幅に低減できる。また、製造に際して外被の形成を一括被覆で行うことができるため、従来の光ファイバケーブルを複数本製造するよりも製造コストが小さくなる。さらに、ケーブルの許容張力がエレメントの数だけ大きくなっているため、エレメントに分割せずに縦系配線を行う場合などにはケーブルにかかる張力の上限を大きく設定することができ、従来に比べて光ファイバ心線の損傷を心配せずに布設作業を行うことができる。また、各エレメントに分岐して各布設先まで接続なしに光ファイバを配線することができる。
【発明を実施するための最良の形態】
【００３５】
以下、本発明に係る実施形態を、図面を参照しつつ説明する。
図１は本発明の光ファイバケーブルに係る第１実施形態を示す断面図である。
【００３６】
図１に示すように、本発明の第１実施形態である光ファイバケーブル１０Ａは、２本の光ファイバ心線２１と４本の抗張力体２２，２２ａとがケーブル断面内で略一直線状に並ぶよう熱可塑性樹脂の外被２３で一括被覆されている。光ファイバケーブル１０Ａの断面における外形寸法は、例えば、断面短手方向となる厚さが２．０ｍｍであり、断面長手方向となる幅が７．４ｍｍである。また例えば、光ファイバ心線２１の直径は０．２５ｍｍであり、抗張力体２２，２２ａは直径０．４ｍｍの鋼線であり、外被２３の材質は難燃ポリエチレンである。この光ファイバケーブル１０Ａは、光ファイバ心線２１と抗張力体２２，２２ａとがケーブル断面内で略一直線状に並んでいることにより、ケーブルの形状がテープ状となっており、厚さ方向に曲がりやすくなるため、取り扱い性が良好である。
【００３７】
また、外被２３を一括被覆する際には抗張力体２２の周囲に接着剤を塗布しており、抗張力体２２，２２ａと外被２３との間には接着剤層２５が介在している。抗張力体２２，２２ａの周囲に設けられた接着剤層２５の外径は、例えば０．６ｍｍである。接着剤層２５によって外被２３と抗張力体２２，２２ａとを強く一体化することで、布設環境下において発生するおそれのある外被２３の収縮や蛇行を抗張力体２２，２２ａにより抑えることができる。これにより、光ファイバ心線２１の損失増加や断線を防いでいる。
【００３８】
この光ファイバケーブル１０Ａは、少なくとも光ファイバ心線２１を含む略同形の２つのエレメント２０Ａが外被２３によって一体化された構造をなしており、エレメント２０Ａ間の境界部分の外被２３に、各エレメント２０Ａに分離するための分割用ノッチ１１が形成されている。この分割用ノッチ１１から外被２３に亀裂を生じさせることで、各エレメント２０Ａに分割することができる。分割用ノッチ１１が設けられていることにより、例えばマンション内の布設作業において、図６に示すようにＭＤＦから各階を繋ぐ縦系配線では分割せずに光ファイバケーブル１０Ａを布設し、そこから各戸までの横系配線は各エレメント２０Ａに分岐させて配線することができる。また、光ファイバ心線２１を含む複数のエレメント２０Ａを、互いに絡み合うことなく一度に布設することができる。また、ＭＤＦから各戸まで光ファイバケーブル１０Ａを接続なしで配線することが可能となる。また、布設する際に使用するケーブル繰り出し用のボビン１０６の数量も少なくできる。
【００３９】
さらに、光ファイバケーブル１０Ａを各エレメント２０Ａに分割する前の縦系配線においては、従来のインドア型光ファイバケーブルの２倍の許容張力が得られるため、１回牽引する毎の布設長さを伸ばすことができ、また、従来通線できなかったルートへ通線することもできる。
【００４０】
また、光ファイバケーブル１０Ａは、各エレメント２０Ａが宅内の人目にさらされる箇所に配線される場合があるため、外観も重要な要素となる。そのため、各エレメント２０の四隅の角がすべて略同じ形状になるように分割用ノッチ１１が形成されており、これにより各エレメント２０Ａに分割しても外観を損なわず、従来のインドア型のケーブルと同様に見えるようになっている。また、その四隅の角は断面視凸曲線状となっており、例えば戸内に配線したエレメント２０Ａが他の何らかの部材と擦れても外被２３の損傷が少なく、その削りかすも発生しにくいため、エレメント２０Ａを配線した戸内等の環境を汚さずに済む。なお、四隅の角の曲率半径をあまり大きくするとエレメント２０Ａの側圧に対する特性が悪化することが考えられるため、断面における外郭線状に直線部分を有する程度にしておく方がよい。
【００４１】
なお、光ファイバケーブル１０Ａを各エレメント２０Ａへ分離する場所については、例えば集合住宅の配線の場合で考えると各戸の内でも外でも良い。各戸まで各エレメント２０Ａに分離せず光ファイバを２心引き込む場合には、例えば図７に示すようにテレビやパソコン等の各端末の直前で１心ずつのエレメント２０Ａに分離して各エレメント２０に直に外被を把持する構造の単心型光コネクタ３０を取り付けることができる。
【００４２】
従来の光ファイバケーブルには、図１０に示すような光ファイバ心線１０１を２心内蔵したもの（光ファイバケーブル１１０）も用いられているが、図７に示すような配線を行うために端末でそれぞれの光ファイバ心線にコネクタを取り付ける際には、図１１に示すように光ファイバケーブル１１０（図１０参照）から個々の光ファイバ心線１０１を取り出し、それぞれに抗張力体や外被に該当する保護部材を取り付けて分岐ケーブル部１２０を構成し、さらにこの分岐ケーブル部１２０を分岐していない光ファイバケーブル１１０と接合する分岐部を作成する必要があり、作業性が低かった。
【００４３】
本発明では、光ファイバケーブル１０Ａを各エレメント２０Ａに分割した後、少なくとも１本のエレメント２０Ａに光コネクタ３０を取り付けることにより、各端末へ接続する際に別途他の接続部分を設ける必要がなく、作業性が良好である。また、コネクタ以外の接続部品を使用せずにすみ、接続部品を少なくできるため、配線費用を低く抑えることもできる。
【００４４】
また、各エレメント２０Ａでは、外被２３には光ファイバ心線２１に向かって形成された心線取り出し用ノッチ２４が設けられており、この心線取り出し用ノッチ２４から外被２３に亀裂を生じさせて引き裂くことで、光ファイバ心線２１を取り出すことができる。また、この心線取り出し用ノッチ２４の深さＤ２に比べて、上記の分割用ノッチ１１の深さＤ１の方が深く形成されている。そのため、仮に布設時等にこの光ファイバケーブル１０Ａが捻れて大きな捻れ応力が発生した時に、心線取り出し用ノッチ２４から外被２３に亀裂が発生するよりも前に分割用ノッチ１１から亀裂が入り、エレメント２０Ａ間が分離する。これにより、布設時に発生する不慮の外力によって光ファイバ心線２１が飛び出して損傷するのを防止することができる。
【００４５】
また、各エレメント２０Ａ内において、光ファイバ心線２１が偶数本（本実施形態では２本）の抗張力体２２の間に配置されており、各エレメント２０Ａに分割した後も光ファイバ心線２１を張力等の外力から保護する。また、上記の接着剤層２５は、少なくとも最も端に位置する（本実施形態では両方が端となっている）エレメント２０Ａのうち、少なくとも１本の抗張力体２２ａの周囲に設けられていれば良い。抗張力体２２ａの周囲に設けられた接着剤層２５は、低温下での外被２３の収縮による光ファイバ心線２１の蛇行による伝送損失増を低減する機能を有しているが、エレメント２０Ａに分割した後の配線はルート長が短く布設温度環境も厳しくない集合住宅の横系配線や宅内配線が主であるため、分割前の光ファイバケーブル１０Ａについて外被２３の収縮防止を考慮すればよい。すなわち、各エレメント２０Ａのうち、少なくとも最も端に位置するエレメント２０Ａ内の、少なくとも１本の抗張力体２２ａの周囲に接着剤層２５が設けられていれば、分割前の光ファイバケーブル１０Ａの外被２３の収縮を防止することができる。
【００４６】
なお、この光ファイバケーブル１０Ａは、上記の一例では外形寸法を厚さ２．０ｍｍ×幅７．４ｍｍとしたが、光ファイバ心線２１と抗張力体２２とを極力近づけて外形寸法を例えば厚さ２．０ｍｍ×幅５．４ｍｍとして幅を狭めると、管路内でのケーブル布設可能本数を増大でき、布設張力も小さくできる。また、光ファイバケーブル１０Ａの捩れ剛性も小さくなることから、ケーブルの取り回し作業が容易になる。
【００４７】
次に、本発明に係る第２実施形態について説明する。
図２は本発明の光ファイバケーブルに係る第２実施形態を示す断面図である。なお、上記の第１実施形態と共通する構成には同じ符号を付して、重複する説明を省略する。
【００４８】
この光ファイバケーブル１０Ｂでは、各エレメント２０Ｂの抗張力体２６が長方形状の略矩形であり、その抗張力体２６の断面長手方向（幅方向）上に光ファイバ心線２１が配置されている。そして、光ファイバ心線２１は、抗張力体２６の厚さ内に略含まれるような構造となっている。光ファイバケーブル１０Ｂの断面における外形寸法は、例えば、断面短手方向となる厚さが２．０ｍｍであり、断面長手方向となる幅が４．３ｍｍである。そして、抗張力体２６の外形寸法は、外径０．４ｍｍの鋼線２本分と略同じ断面積を確保することができるように例えば厚さ０．４ｍｍ×幅０．６ｍｍとしてあり、上記の第１実施形態の例と同等の許容張力を得ることができる。
【００４９】
一般に光ファイバケーブルは、その断面の幅が大きくなるほど捻れ剛性が大きくなり取り扱い難くなるが、それを抑止するため光ファイバケーブル１０Ｂの幅方向（図２において左右方向）の寸法を小さくして各エレメント２０Ｂにおける抗張力体２６を１本としたものである。これにより、光ファイバケーブル１０Ｂはその取り回し性が上記の光ファイバケーブル１０Ａより向上している。
【００５０】
また、本実施形態における光ファイバ心線２１は外径が０．２５ｍｍと細く外傷を受けやすいため、最も端に位置するエレメント２０Ｂにおいては抗張力体２６が光ファイバ心線２１よりもケーブルの外側に配置させており、これにより光ファイバ心線２１の損傷を抑止することができる。
【００５１】
なお、各エレメント２０Ｂの抗張力体２６を１本にすると、各エレメント２０Ｂに分離した後、そのエレメント２０Ｂを曲げると抗張力体２６が曲げ中心となりやすい。光ファイバ心線２１が曲げの内側になるよう曲げられると光ファイバ心線２１がその長手方向に圧縮されるようになるため、蛇行して断線する可能性が高い。そのため、抗張力体２６を偏平形状にして各エレメント２０Ｂの曲げ方向性を抗張力体２６の断面長手方向を中心とする方向に制限し、光ファイバ心線２１の断線を抑止している。なお、この図２に示した抗張力体２６は略矩形の断面を有するが、楕円形の断面であってもよい。
【００５２】
次に、本発明に係る第３実施形態について説明する。
図３及び図４は本発明の光ファイバケーブルに係る第３実施形態を示す断面図である。なお、上記の第１実施形態あるいは第２実施形態と共通する部位には同じ符号を付して、重複する説明を省略する。
【００５３】
図３に示すように、この光ファイバケーブル１０Ｃでは、各エレメント２０Ｃの光ファイバ心線２１がテープ状に一体化しており、そのテープ状光ファイバ心線２７の断面長手方向（幅方向）上に抗張力体２２が配置されている。光ファイバケーブル１０Ｃの断面における外形寸法は、例えば、断面短手方向となる厚さが２．０ｍｍであり、断面長手方向となる幅が６．０ｍｍである。そして、例えば抗張力体２２の直径は０．５７ｍｍであり、抗張力体２２と外被２３との間に設けられた接着剤層の外径は０．８ｍｍである。
【００５４】
この光ファイバケーブル１０Ｃは、各エレメント２０の抗張力体２２が１本であるが、光ファイバ心線２１がテープ状となっている場合には、テープ状光ファイバ心線２７の剛性によって光ファイバ心線２１が曲げの内側になることが抑止できるため、抗張力体２２は矩形状とせず丸形状でもよい。また、エレメント２０Ｃに収容されているテープ状光ファイバ心線２７の幅方向上に抗張力体２２が配置されているので、エレメント２０Ｃに分割した後、各エレメント２０Ｃが曲げられたときに光ファイバ心線２１に大きな引張り歪みや圧縮歪みが加わるのを防止することができる。
【００５５】
また、図３の光ファイバケーブル１０Ｃでは、テープ状光ファイバ心線２７をケーブルの内側に配置し、抗張力体２２を外側に配置した場合について示したが、テープ状光ファイバ心線等のように単心の光ファイバ心線（被覆層１２５μｍ）より被覆層が厚く強化されている場合には、図４に示す光ファイバケーブル１０Ｄのように、テープ状光ファイバ心線２７をケーブルの外側に配置し、抗張力体２２を内側に配置してもよい。また、光ファイバ心線２１またはテープ状光ファイバ心線２７の外側の外被２３の厚さｔを、０．５ｍｍ以上確保することにより、通常の布設作業における光ファイバ心線２１への損傷を防ぐことができる。このように抗張力体２２を内側に配置した場合には、光ファイバケーブル１０Ｃと比較して、光ファイバケーブル１０Ｄの捩れ剛性をさらに低減することができるため、ケーブルの取り扱い性がさらに向上している。
【００５６】
次に、本発明に係る第４実施形態について説明する。
図５は本発明の光ファイバケーブルに係る第４実施形態を示す断面図である。なお、上記の第１実施形態〜第３実施形態と共通する部位には同じ符号を付して、重複する説明を省略する。
【００５７】
配管内の布設性を良くするには、抗張力体も光ファイバケーブルの略中心部にあることが望ましい。このため、図５に示すように、抗張力体２２を光ファイバケーブル１０Ｅの中心部であり、分割用ノッチ１１の内側であるエレメント２０Ｅ，２０Ｅの境界部分に配置することも可能である。
【００５８】
図５に示す光ファイバケーブル１０Ｅは、光ファイバ心線２１と接着剤層で覆った抗張力体２２を断面内で光ファイバ心線２１とともに略一直線状に並列するよう配置して外被２３を一括被覆したものである。光ファイバケーブル１０Ｅの外寸は、例えば断面短手方向の厚さが２．０ｍｍ、断面長手方向の幅が５．７ｍｍである。また、例えば抗張力体２２の直径は０．７２ｍｍであり、接着剤層の外径は０．９２ｍｍである。この光ファイバケーブル１０Ｅも、抗張力体２２に向かって設けられた分割用ノッチ１１を介して２本のエレメント２０Ｅ，２０Ｅに分割することができる。光ファイバケーブル１０Ｅの許容張力は、分割用ノッチ１１の内側に設けられた抗張力体２２の寄与度が大きいため、分離した後の各エレメント２０Ｅの許容張力は低いが、横系配線や各戸内配線においては許容張力よりも可撓性が重視されることがある。このため、図５のような構造の光ファイバケーブル１０Ｅが好適であることも多い。
【００５９】
分割用ノッチ１１は、図５の例ではＵ字状に設けられているが、Ｖ字状でも凹字状でもよく、これら分割用ノッチ１１においては、エレメント２０Ｅの可撓変形を許容する空間１１ａを形成している。そのため、光ファイバケーブル１０Ｅに応力が加わり、光ファイバ心線２１と抗張力体２２とが断面内で一直線状に並ばないように光ファイバケーブル１０Ｅが曲げられても、曲げの内側に位置した分割用ノッチ１１は空間１１ａへ向かって狭まり、曲げの外側に位置した分割用ノッチ１１は空間１１ａが拡がるように開くため、分割用ノッチ１１に無理な応力が集中してケーブル布設中に分割用ノッチ１１から外被が引き裂かれて各エレメント２０Ｅに分離してしまうような不具合が発生しにくい。
【００６０】
また、上記の第１実施形態〜第４実施形態では、それぞれ２つのエレメントからなる光ファイバケーブルを例に挙げて説明したが、本発明においては３つ以上のエレメントからなっていても良い。その場合も、断面内で抗張力体と光ファイバ心線とが略一直線状に並ぶように配置されていると良い。
【図面の簡単な説明】
【００６１】
【図１】本発明の光ファイバケーブルに係る第１実施形態を示す断面図である。
【図２】本発明の光ファイバケーブルに係る第２実施形態を示す断面図である。
【図３】本発明の光ファイバケーブルに係る第３実施形態を示す断面図である。
【図４】本発明の光ファイバケーブルに係る第３実施形態の別の例を示す断面図である。
【図５】本発明の光ファイバケーブルに係る第４実施形態を示す断面図である。
【図６】本発明の光ファイバケーブルの配線方法の一例を示す模式図である。
【図７】本発明の光ファイバケーブルの配線方法において戸内配線の一例を示す模式図である。
【図８】従来の光ファイバケーブルの一例を示す断面図である。
【図９】従来の光ファイバケーブルの配線方法の一例を示す模式図である。
【図１０】従来の光ファイバケーブルの一例を示す断面図である。
【図１１】従来の光ファイバケーブルの配線方法の一例を示す模式図である。
【符号の説明】
【００６２】
１０Ａ〜１０Ｅ  光ファイバケーブル
１１  分割用ノッチ
２０Ａ〜２０Ｅ  エレメント
２１  光ファイバ心線
２２  抗張力体
２３  外被（樹脂）
２４  心線取り出し用ノッチ
２５  接着剤
２７  テープ状光ファイバ心線
【図１】
2006209023.tif 000003
【図２】
2006209023.tif 000004
【図３】
2006209023.tif 000005
【図４】
2006209023.tif 000006
【図５】
2006209023.tif 000007
【図６】
2006209023.tif 000008
【図７】
2006209023.tif 000009
【図８】
2006209023.tif 000010
【図９】
2006209023.tif 000011
【図１０】
2006209023.tif 000012
【図１１】
2006209023.tif 000013